(57)【要約】      （修正有）【課題】部品を取り外すことなく、突起部の長さの切替えが容易なレンズ操作装置を提供する。【解決手段】レンズ装置に装着され、手動により回転操作することにより、可動光学部材を移動するレンズ操作装置で、装置本体と相対的に回転可能な回転操作部２１と、回転操作部２１の外周側に突出した少なくとも１つの突起部５１と、を有するレンズ操作装置において、突起部５１は、回転操作部２１の外周面からの突出長さが可変であることを特徴とする。【選択図】図２
2017203915.tif 000002
【特許請求の範囲】
【請求項１】
レンズ装置に装着され、手動により回転操作することにより、可動光学部材を移動するレンズ操作装置で、
装置本体と相対的に回転可能な回転操作部と、
前記回転操作部の外周側に突出した少なくとも１つの突起部と
を有するレンズ操作装置において、
前記突起部は、前記回転操作部の外周面からの突出長さが可変であることを特徴とするレンズ操作装置。
【請求項２】
前記突起部は側面に少なくとも１つの切欠きを有し、
前記回転操作部は、一端が前記切欠きに係合し、他端が前記回転操作部の外装面に延出する係合部材と、
前記突起部が収納される突起収納部とを有し、
前記突起収納部は、前記突起部の端に当接して前記突起部を突起部の軸方向に付勢する突起押圧部材を有することを特徴とする請求項１に記載のレンズ操作装置。
【請求項３】
前記係合部材は、回転軸を有し、
前記回転操作部は、前記係合部材を前記回転軸周りに付勢する弾性部材を有することを特徴とする請求項２に記載のレンズ操作装置。
【請求項４】
前記回転操作部は、前記係合部材を前記係合部材の軸方向に付勢する弾性部材を有することを特徴とする請求項２に記載のレンズ操作装置。
【請求項５】
前記突起部は、突起芯部と、前記突起芯部を収納する突起筒部と、 
前記突起芯部の前記突筒部からの突出位置を固定する突起芯部固定手段とを有することを特徴とする請求項１に記載のレンズ操作装置。 
【請求項６】
前記回転操作部は外周面に突起部を保持する突起保持部を有し、 
前記突起保持部は、前記突起部を姿勢可変に保持し、前記突起部の姿勢を固定する固定手段を有することを特徴とする請求項１乃至請求項５の何れか一項に記載のレンズ操作装置。
【請求項７】
前記回転操作部は、外装面に回転操作部筺体と相対的に回転可能な回転部材と、 
前記回転部材と複数の突起部とを連結した動力伝達手段とを有することを特徴とする請求項１に記載のレンズ操作装置。
【発明の詳細な説明】
【技術分野】
【０００１】
本発明は、レンズ操作装置に関し、特に回転操作することにより、レンズ装置の可動光学部材を移動させるレンズ操作装置に関する。
【背景技術】
【０００２】
従来、放送用レンズではフォーカス操作を行う際、フォーカス操作装置を使用する。撮影者はフォーカス操作装置の回転操作部を回転することで、放送用レンズのフォーカス群を所望のフォーカス位置に駆動させる。回転操作部の外周部には複数の突起部が設けられており、回転操作部を握る操作形態以外に、突起部を指先でつまんで操作することも可能である（特許文献１、２参照）。
【０００３】
突起部が操作を妨げる際には、突起部を回転操作部から取り外すことも可能であり、長さの異なる突起部に交換することも可能となっている。すなわち、撮影者の好みに応じてフォーカス操作の操作形態が選択可能となっている。
【先行技術文献】
【特許文献】
【０００４】
【特許文献１】特許第２５８６６１８号公報
【特許文献２】特開２０００−１１１７８３号公報
【発明の概要】
【発明が解決しようとする課題】
【０００５】
しかしながら、上述の特許文献１、２に開示された従来技術では、突起部の交換のためには、撮影者の操作形態に応じて、長さの異なる突起部を作製する必要がある。また、交換が想定される場面では、フォーカス操作装置に装着していない異なる長さの突起部を常に所持しなければならない。また、突起部を取り外しあるいは交換した後には、外した突起部を紛失するおそれがある。
【０００６】
そこで、本発明では、部品を取り外すことなく、突起部の長さの切替えが容易なレンズ操作装置を提供することを目的とする。
【課題を解決するための手段】
【０００７】
上記の目的を達成するために、本発明に係るレンズ操作装置は、
レンズ装置に装着され、手動により回転操作することにより、前記レンズ装置の可動光学部材を移動させるレンズ操作装置で、装置本体と相対的に回転可能な回転操作部と、前記回転操作部の外周側に突出した少なくとも１つの突起部とを有するレンズ操作装置において、前記突起部は、前記回転操作部外周面からの突出長さが可変であることを特徴とする。
【発明の効果】
【０００８】
本発明によれば、部品を取り外すことなく、突起部の長さの切替えが容易なレンズ操作装置を提供することができる。その結果、操作性と運用性の向上が図れる。
【図面の簡単な説明】
【０００９】
【図１】レンズ装置とレンズ操作装置のシステム概略図
【図２】第１の実施例のレンズ操作装置の突起長さ調整手段の説明図
【図３】第２の実施例のレンズ操作装置の外観図
【図４】第２の実施例のレンズ操作装置の突起長さ調整手段の説明図
【図５】第２の実施例のレンズ操作装置の突起保持部の詳細図
【図６】第２の実施例のレンズ操作装置の芯材固定手段の詳細図
【図７】第３の実施例のレンズ操作装置の外観図
【図８】第３の実施例のレンズ操作装置の突起長さ調整手段の説明図
【発明を実施するための形態】
【００１０】
以下に、本発明の好ましい実施の形態を、添付の図面に基づいて詳細に説明する。
【００１１】
［実施例１］
図１、図２を用いて、本発明の第１の実施例のレンズ操作装置について説明する。
【００１２】
レンズ操作装置Ｄ１は、装置本体１と、装置本体１と相対的に回転可能な回転操作部２１とで構成される。装置本体１にはレンズ操作装置Ｄ１と放送用レンズＬ１を接続するための接続端子３が構成されている。レンズ操作装置Ｄ１は接続端子３からケーブルＣを介して放送用レンズＬ１のレンズコネクタ１０１に接続されている。撮影者が回転操作部２１を操作すると、操作角度に応じた駆動信号が放送用レンズＬ１の制御部１０２から駆動部１０３へ出力され、フォーカス群（可動光学部材）Ｆを所望の位置に移動することができる。
【００１３】
回転操作部２１には、筺体４１と、複数の突起部５１と、突起部５１を支持する支持台６１と、突起部５１の位置を規制する位置規制部材７１が構成されている。筺体４１には、突起部５１が挿通する挿通穴４１ａと、位置規制部材７１の外側端７１ｂが延出する角窓４１ｂが形成されている。突起部５１には、切欠き５１ａと、フランジ部５１ｂが形成されている。支持台６１には、突起部５１が収納される収納穴６１ａが形成されており、収納穴６１ａの中には圧縮ばね８１が構成されている。収納穴６１ａの入口には脱落防止リング９が構成されている。位置規制部材７１には、位置規制部材７１を回転軸７１ａ周りに矢印Ａの方向に付勢するねじりコイルばね１０が構成されている。
【００１４】
図２（ａ）のように、撮影者が突起部５１を使用する場合には、突起部５１は圧縮ばね８１の弾性力により突起部５１の軸方向外側に押され、突起部５１が回転操作部２１の外周部に突出する。このとき、突起部５１のフランジ部５１ｂが脱落防止リング９に当接することで、突起部５１が筺体４１から突出する長さが固定される。
【００１５】
図２（ｂ）のように、撮影者が突起部５１を使用しない場合には、突起部５１を筺体４１の挿通穴４１ａに押し込むことで、圧縮ばね８１が圧縮されて、突起部５１は筺体４１の内部に収納される。突起部５１の収納状態において、ねじりコイルばね１０の弾性力は圧縮ばね８１の弾性力よりも大きくなるように設定されている。位置規制部材７１の突起側端７１ｃが突起部５１の切欠き５１ａに係合することで、突起部５１の位置が規制される。
【００１６】
突起部収納状態から突起部使用状態に切り替えるときには、位置規制部材７１の外側端７１ｂを矢印Ｂの方向に押すことにより、位置規制部材７１の突起側端７１ｃと突起部５１の切欠き５１ａの係合状態が解除される。したがって、突起部５１は圧縮ばね８１の弾性力により筺体４１の外側へ押し出され、図２（ａ）の状態に戻る。
【００１７】
本実施例によれば、部品を取り外すことなく突起部の長さの切替えが容易なレンズ操作装置を提供することができる。なお、本実施例では、突起部の切欠きを１箇所としたが、切欠きを複数設ければ、突起部の長さを段階的に切り替えることも可能である。また、本実施例では、突起部の本数を３本としたが、多数の突起部を設ければ、撮影者の好みの本数に変更することも可能である。
【００１８】
［実施例２］
図３乃至図６を用いて、本発明の第２の実施例のレンズ操作装置について説明する。
【００１９】
図３はレンズ操作装置Ｄ２の回転操作部２２の軸方向からみた詳細図、図４は図３のＹ−Ｙ断面図である。
【００２０】
回転操作部２２には、筺体４２と、突起部５２と突起保持台６２が構成されている。筺体４２の外周部には突起部５２を収納する収納溝４２ａが形成されている。突起部５２には、突起筒部５２ａと、その内径側に挿入された突起芯材５２ｂと、それを突起筒部５２ａに固定する固定ネジ７２と、突起部５２の姿勢を保持する筒状の姿勢固定筒８２が構成されている。
【００２１】
図５に示すように、突起保持台６２には、突起部５２の角度を変えるための回転軸６２ａと、板ばね６２ｂが構成されている。図６に示すように、突起筒部５２ａの外径部には雄ネジ５２ｄが形成されており、固定ネジ７２の内径に形成された雌ネジ７２ａと係合する。突起筒部５２ａの先端部には複数の切欠き５２ｅが形成されており、径方向に弾性変形しやすくなっている。突起筒部５２ａに固定ネジ７２を締め込んだ際には、突起筒部５２ａの斜面部５２ｆと固定ネジ７２の斜面部７２ｂが当接する。さらに固定ネジ７２を締め込むと、突起筒部５２ａの先端が弾性変形して突起筒部の先端部の内径が小さくなり、突起芯材５２ｂの位置を固定することができる。
【００２２】
突起部５２を使用しないときには、図３（ａ）および図４（ａ）のように、突起部５２は収納溝４２ａの中に収納される。このとき、突起筒部５２ａに形成されたＶ溝５２ｃに突起保持台６２に構成された板ばね６２ｂが係合し、板ばね６２ｂの弾性力により突起部５２の姿勢が保持される。
【００２３】
突起部５２を使用するときには、図３（ｂ）および図４（ｂ）のように、突起部５２の姿勢を起こし、突起部５２を収納溝４２ａから取り出す。次に、姿勢固定筒８２を突起保持台６２に被せて突起部５２の姿勢を保持する。さらに突起部５２を長くするときには、固定ネジ７２を緩めて突起芯材５２ｂを所望の長さまで引き出す。再度固定ネジ７２を締め込めば、突起芯材５２ｂの位置が固定される。第２の実施例によれば、突起部を収納するだけでなく、突起部の長さを撮影者の好みの長さに調整することができる。
【００２４】
本実施例では、突起部の姿勢保持に筒状の姿勢固定筒を用いたが、収納時と同様に、板ばねと切欠きにより保持しても同様の効果が得られる。また、姿勢保持手段に板ばねと切欠きによる係合方式を用いているが、プランジャを用いた係合方式を使用した場合でも同様の効果が得られる。
【００２５】
［実施例３］
図７〜図８を用いて、本発明の第３の実施例のレンズ操作装置について説明する。
【００２６】
レンズ操作装置Ｄ３の回転操作部２３には、筺体４３と、複数の突起部５３と、筺体４３と相対的に回転可能な突起長さ調整つまみ６３が構成されている。筺体４３の内部には、大歯車７３と、大歯車７３と係合する第１の小歯車８３と、第１の小歯車８３と係合する第２の小歯車９３が構成されている。突起部５３の端部には直動ギア５３ａが形成されており、第２の小歯車９３と係合している。第１の小歯車８３と第２の小歯車９３は１つの突起部５３につき１組ずつ配置されている。突起長さ調整つまみ６３の回転軸６３ａは大歯車７３に連結されており、突起長さ調整つまみ６３を回転させると大歯車７３も回転する。
【００２７】
したがって、撮影者が突起長さ調整つまみ６３を回転操作すると、突起部５３の長さを３本同時に変化させることができる。
【００２８】
第３の実施例によれば、複数の突起部の長さを撮影者の好みの長さに同時に調整することができる。なお、本実施例では、突起長さ調整つまみから突起部までの動力伝達手段に歯車を用いたが、リンク機構などの別の伝達手段を用いても同様の効果が得られる。
【００２９】
以上、本発明の好ましい実施形態について説明したが、本発明はこれらの実施形態に限定されず、その要旨の範囲内で種々の変形及び変更が可能である。また、例示した実施例は、レンズ操作装置で操作する対象をフォーカス群としたが、本発明はこれに限定されることはない。ズーム群、絞りに対する適用、或いは、光学フィルタに対しても同様に適用して、本発明の効果を得ることができる。
【００３０】
上記各実施例によれば、部品を取り外すことなく、突起部の長さの切替えが容易なレンズ操作装置を提供することができる。
【符号の説明】
【００３１】
Ｌ１  レンズ装置、Ｆ  フォーカス移動群（可動光学部材）、
Ｄ１，Ｄ２，Ｄ３  レンズ操作装置、１、装置本体、２１，２２，２３  回転操作部、
５１，５２，５３  突起部
【図１】
2017203915.tif 000003
【図２】
2017203915.tif 000004
【図３】
2017203915.tif 000005
【図４】
2017203915.tif 000006
【図５】
2017203915.tif 000007
【図６】
2017203915.tif 000008
【図７】
2017203915.tif 000009
【図８】
2017203915.tif 000010